【手続補正書】
【提出日】令和1年12月24日(2019.12.24)
【手続補正１】
【補正対象書類名】明細書
【補正対象項目名】００１５
【補正方法】変更
【補正の内容】
【００１５】
【図１】本発明に基づいて作られたゴルフクラブヘッドの斜視図である。
【図２】ゴルフクラブヘッドのフライス加工された表面粗さの正面図を示している。
【図３】同様に、ゴルフクラブヘッドのフライス加工された表面粗さの正面図を、３次元青写真形式で示している。
【図４】ゴルフクラブヘッドの様々なコンポーネントの展開図である。
【図５Ａ】本発明に基づいて作られた調節可能ホーゼルの側面図である。
【図５Ｂ】調節可能ホーゼルの内部の断面図である。
【図５Ｃ】底面図である。
【図５Ｄ】角度表示を示す側面図である。
【図５Ｅ】角度表示を示す側面図である。
【図６Ａ】調節可能ホーゼルをカバーするネックトリムピースの側面方向の斜視図である。
【図６Ｂ】側面底面方向の斜視図である。
【図６Ｃ】底面図である。
【図６Ｄ】ホーゼル受け部を示す縦断面図である。
【図７】フェースプレートの背面図である。
【図８Ａ】フライトウェイトバーの正面図である。
【図８Ｂ】フライトウェイトバーの側面図である。
【図９Ａ】本発明に基づいて作られた、交換可能リヤフランジが下方位置にある状態の、ゴルフクラブヘッドの背面図である。
【図９Ｂ】交換可能リヤフランジが下方位置にある状態の、ゴルフクラブヘッドの側面図である。
【図１０Ａ】交換可能リヤフランジが上方位置にある状態の、ゴルフクラブヘッドの背面図である。
【図１０Ｂ】交換可能リヤフランジが上方位置にある状態の、ゴルフクラブヘッドの側面図である。
【図１１Ａ】交換可能リヤフランジの正面図である。
【図１１Ｂ】交換可能リヤフランジの上面方向の斜視図である。
【図１１Ｃ】交換可能リヤフランジの正面方向の斜視図である。
【図１１Ｄ】交換可能リヤフランジの背面図である。
【図１１Ｅ】図１１Ｄの調節可能受け部の詳細図である。
【図１２】クラブヘッドの交換可能リヤフランジの別の態様である。
【図１３】交換可能リヤフランジの更に別の態様である。
【図１４Ａ】交換可能フェースプレートを前側表面から示した図である。
【図１４Ｂ】交換可能フェースプレートを裏側表面から示した図である。
【図１４Ｃ】フェースプレートの底部のリーディングエッジを示す、交換可能フェースプレートの底面図である。
【図１５】エンボス部を伴って作られたフライス加工による切込みの側面図である。
【図１６Ａ】ゴルフクラブヘッドとホーゼルの展開斜視図である。
【図１６Ｂ】別の展開斜視図である。
【図１７Ａ】スペースプレートの上面方向斜視図である。
【図１７Ｂ】スペースプレートの正面図である。
【図１７Ｃ】厚みの差を示す、スペースプレートの側面図である。
【図１７Ｄ】オフセット配置のためのワッシャの正面図である。
【図１７Ｅ】厚みの差を示す、ワッシャの側面図である。
【図１８Ａ】交換可能ワンピース型ホーゼルアダプタを取り付けたゴルフクラブヘッドをフェース側から見た図である。
【図１８Ｂ】ホーゼルを取り付けた状態の、トウ側から見た組み立て図である。
【図１８Ｃ】フェース側から見た分解図である。
【図１８Ｄ】トウ側から見た分解図である。
【図１９Ａ】４、５または６番アイアンのフェースプレートの正面図である。
【図１９Ｂ】７、８または９番アイアンのフェースプレートの正面図である。
【図１９Ｃ】ウェッジまたはパターのフェースプレートの正面図である。
【図２０Ａ】ハイブリッドゴルフクラブヘッドの正面方向斜視図である。
【図２０Ｂ】ハイブリッドゴルフクラブヘッドの正面図である。
【図２０Ｃ】ハイブリッドゴルフクラブヘッドの上面方向斜視図である。
【図２０Ｄ】ハイブリッドゴルフクラブヘッドの展開斜視図である。
【図２０Ｅ】別の角度から見た、ハイブリッドゴルフクラブヘッドの展開斜視図である。
【図２１Ａ】テクスチャリングされた表面の配置を示す、ハイブリッドゴルフクラブヘッドの正面図である。
【図２１Ｂ】テクスチャリングされた表面の配置を示す、ハイブリッドゴルフクラブヘッドの正面図である。
【図２１Ｃ】テクスチャリングされた表面の配置を示す、ハイブリッドゴルフクラブヘッドの正面図である。
【図２１Ｄ】テクスチャリングされた表面の配置を示す、ハイブリッドゴルフクラブヘッドの正面図である。
【図２１Ｅ】テクスチャリングされた表面の配置を示す、ハイブリッドゴルフクラブヘッドの正面図である。
【手続補正２】
【補正対象書類名】明細書
【補正対象項目名】００４１
【補正方法】変更
【補正の内容】
【００４１】
次に、図８Ａおよび８Ｂを見ると、交換可能フライトウェイトバー１１０が正面図で示されており、図８Ｂは、そのような交換可能フライトウェイトバーを側面から示している。フライトウェイトバー１１０を、様々な厚さおよび材料密度のフライトウェイトバーと交換することにより、既存のフライトウェイトバーの重量を除去したり追加の重量を付加したりして、全体的なクラブヘッドの重量を調節することができる。例えば、重量を調節するために、ゴルファーは、ウェイトバーを取り外したり、アルミニウムのような重量の軽い材料で作られたウェイトバーを使用したり、または、ステンレス鋼のウェイトバーを使用することによってクラブの重量を増加させたりできる。このフライトウェイトバーに異なる厚さや材料重量を用いることにより、重心を変えることもできる。この位置において重量を加えたり差し引いたりして重心を上げ下げできるというこの機能は、ボールの飛行に影響を及ぼす。
【手続補正３】
【補正対象書類名】明細書
【補正対象項目名】００４２
【補正方法】変更
【補正の内容】
【００４２】
図９Ａは、フライトウェイトバー１１０を受け入れる形状の凹部内にフライトウェイトバー１１０が配置された状態のゴルフクラブヘッド１００を示している。交換可能リヤフランジ１０４が、調節可能偏心ワッシャ１０６が下方位置にある状態で示され、リヤフランジ１０４は、下端が、ゴルフクラブヘッド１００のソールに対して下がっている。図９Ｂは、交換可能リヤフランジ１０４が下方位置で固定された状態のゴルフクラブヘッド１００の側面図であり、リヤフランジの裏側のリーディングエッジと、フェースプレートのソールのトレーリングエッジとが揃っている。固定具１０８はリヤフランジ１０４をゴルフクラブヘッド１００に対して固く保持している。
【手続補正４】
【補正対象書類名】明細書
【補正対象項目名】００４８
【補正方法】変更
【補正の内容】
【００４８】
図１２は、本発明の更に別の態様を示しており、ここでは、様々なコース条件および／またはプレイヤーの個人的なスイング動作および好みに合わせるため、交換可能リヤフランジは、サイズ、形、幅および／または重量を含む様々な特性を備えることができる。この図１２において、包括的に符号１４０で示された例は、溝１４２の設けられた、より幅の広いソールを含んでいる。本発明の更に別の態様が図１３に示されており、ここでは、交換可能リヤフランジ１４４は、底面１４８を含んでいる。ヒールとトウのリリーフエリアを大きく、ソールの輪郭を細くすることにより、これらの構成は、一般的使用およびライ角がより小さい状態に対して、より適応性が高い。図示の３つのリヤフランジの構造は、限定されるものではなく、むしろ、本発明の様々な態様を例示するものであり、本発明の範囲は、これらに限定されない。
【手続補正５】
【補正対象書類名】明細書
【補正対象項目名】００５２
【補正方法】変更
【補正の内容】
【００５２】
図１６Ａは、本発明に基づいて作られたウェッジの、最良の実施形態の全構成の展開斜視図である。アイアンゴルフクラブヘッドは包括的に符号２２０で表され、ホーゼル２２２を備え、ホーゼル２２２のボールソケット２２４がトリムピース２２８を通ってフェースプレート２３２に挿入される。トリムピース２２８は、０リング２２６によって、ボールソケット２２４に対してしっかり保持される。ボールソケット２２４はフェースプレート２３２から突き出し、ホーゼルスクリュー２３６によってフェースプレート２３２に固定される。リヤフランジ２４２はフェースプレート２３２に対して固定され、偏心位置決めワッシャ２４４によって位置決めされる。フェースプレート２３２の裏側には取付用突条２４０が配置され、図１６Ｂに示される相補的な取付用突条受け部と適合している。図１６Ｂは、別の角度から見た展開斜視図であり、位置決めピン２３０がどのようにホーゼル２２２を所定の位置に支持するかを示している。バウンス位置決め溝２３８は、図１６Ａの取付用突条２４０に対して調節可能なように、複数の溝位置を有することが示されている。これにより、取付用突条２４０の調節とボール打ち出しのための支持が可能となる。
【手続補正６】
【補正対象書類名】明細書
【補正対象項目名】００５３
【補正方法】変更
【補正の内容】
【００５３】
次に、図１７Ａから１７Ｅを合わせて見ると、包括的に２５０で表されるスペースプレートは、図１７Ｂに示される取付用突条２５２を受け入れるためのバウンス位置決め溝２５４を備えている。このスペースプレート２５０は、ソール幅アダプタとして機能させるために、図１６Ａのリヤフランジ２４２とフェースプレート２３２の間に挿入可能である。スペースプレート２５０は、リヤフランジ２４２とフェースプレート２３２の間の中間片として機能するため、取付用突条２４０を受け入れるためのバウンス位置決め溝２５４も備えている。図１７Ｃは、スペースプレート２５０の側面図であり、先端２５８とソール幅アダプタ基部２５６の間の材料の厚みの違いを示している。スペースプレート２５０は、ボールを打ち上げる際のバウンス角の調節を補助する。さらに、図１７Ｄと図１７Ｅは、勾配の付けられたソール幅アダプタとともに最も効果的に用いられる、包括的に２６０で表される、ワッシャを表している。ワッシャ２６０は、取り付けられた際に、取付用突条２４０の調節可能な高さと適合可能であるような、偏心ワッシャである。ワッシャ２６０の側面図からは、取り付けられた際に、スペースプレート２５０と適合するように、幅広部２６２と幅狭部２６４とで幅の違いがあるのがわかる。
【手続補正７】
【補正対象書類名】明細書
【補正対象項目名】００６０
【補正方法】変更
【補正の内容】
【００６０】
最後に、図２１Ａから２１Ｅを見ると、ゴルフクラブフェースのヒールおよびトウコンタクトのギア効果を増大させる、様々なテクスチャリングを施されたフライス加工表面の構成が示されている。このテクスチャリングされたパターンは、さまざまな表面テクスチャの度合いで、様々な位置に、トウ領域に向かって外側に行くに従って、また、ヒール領域に向かって内側に行くに従って粗さが増すように、勾配をつけて施されてもよい。ゴルフクラブヘッドは、包括的に３２０で表され、３０°角で向かい合うダイヤモンドパターンのテクスチャを有する全体にテクスチャリングされた表面を含み、フェースプレート３２２の全表面に亘ってテクスチャを作り出している。図２１Ａのホーゼル３２４は、ゴルフクラブヘッド３２０に取り付けられた状態で示されている。図２１Ｂは、図２１Ａのダイヤモンドパターンがトウ領域３２６とヒール領域３３０にだけ施され、中央領域３２８がテクスチャリングされずに残された、他の態様を示している。テクスチャリングされたパターンは、テクスチャリングされていない中央表面３２８から、トウおよびヒール領域に向かって外側に行くに従って粗さが増すように、粗さの勾配をつけて施されてもよい。フライス加工でテクスチャリングされた表面は、ロールおよびバルジというフェース輪郭を有するクラブのギア効果を向上させることが予想される。テクスチャリングされていない中央部３２８は、図２１Ａから２１Ｅに示すように、様々な形状であってよい。図２１Ｂおよび２１Ｃに示すように、テクスチャリングされていない部分３２８は、底部が広くなっているか、または頂部が広くなっているかしてもよく、または、長方形部分であってもよい。今度は図２１Ｄおよび２１Ｅを見ると、やはり中央の非テクスチャリング表面３４２を残して、トウ領域３４０とヒール領域３４４に、単一パスでフライス加工されたテクスチャ表面を施すこともできる。ロール及びバルジのフェースプレート輪郭を有する場合、トウ領域３４０とヒール領域３４４の両方に単一パスのテクスチャを施すと効果的だろう。全ての例において、ホーゼル３２４はゴルフヘッド３２０内に受け入れられている。
【手続補正８】
【補正対象書類名】図面
【補正対象項目名】図５Ｄ
【補正方法】変更
【補正の内容】
【図５Ｄ】
2019500102.tif 000001
【手続補正９】
【補正対象書類名】図面
【補正対象項目名】図５Ｅ
【補正方法】変更
【補正の内容】
【図５Ｅ】
2019500102.tif 000002
【手続補正１０】
【補正対象書類名】図面
【補正対象項目名】図１７Ｅ
【補正方法】変更
【補正の内容】
【図１７Ｅ】
2019500102.tif 000003